(57)【要約】      （修正有）【課題】表示部に自動車のナンバープレートに表示されている一連指定番号、または暗証番号など４桁以上の記号、数字を配列することにより、誰にでも容易に自分の車であることを識別できるとともに、車のナンバープレートと同じ一連指定番号を表示した場合は、他の車への転用が困難になるため特別な盗難対策を必要としないカープレートを提供する。【解決手段】自動車のナンバープレートに表示されている一連指定番号、または暗証番号など４桁以上の記号、数字を配列した表示部、表示部を回転させる回転構造、回転を規制するマグネット４、およびマグネットに吸引されるストッパー３、ならびに吸盤、磁石などによる車への取り付け具６で構成される表示プレート１を、車の鋼板部、またはガラス部に装着することにより、自分の車を確実に識別することが出来る。【選択図】図１
0003192671.tif 000002
【実用新案登録請求の範囲】
【請求項１】
駐車場などで自分の車である事を識別するための表示プレートに関して、自動車のナンバープレートに表示されている一連指定番号、または暗証番号など４桁以上の記号、数字を配列した表示部、表示部を回転させる回転構造、回転を規制するマグネット、およびマグネットに吸引されるストッパー、ならびに吸盤、磁石などによる車への取り付け具で構成し、マグネットまたはストッパーのいずれかを表示部と共に回転可能とし、回転するマグネットに対してはストッパーを、回転するストッパーに対してはマグネットを非回転に保つことによって、マグネットとストッパーとの吸引力により表示部の回転を規制し、所定以上の力が加わった場合にのみ表示部が回転するカープレート。
【請求項２】
表示部を回転させる回転構造において、回転の中心軸を表示部のセンターに対して偏らせて配置する、請求項１に記載するカープレート。
【考案の詳細な説明】
【技術分野】
【０００１】自動車のナンバープレートに表示されている一連指定番号、または暗証番号など４桁以上の記号、数字を配列した表示部、表示部を回転させる回転構造、回転を規制するマグネット、およびマグネットに吸引されるストッパー、ならびに吸盤、磁石などによる車への取り付け具で構成される表示プレートを、車の鋼板部、またはガラス部などに装着することにより、自分の車を確実に識別することが出来るカープレート。
【背景技術】
【０００２】自動車は形状や色などが類似した車種が多く、広大な駐車場で自分の車を確認することは容易では無いため、自分の車であることを表示する手段として色付けや、特殊マーク入りの旗やプレートを屋根や窓に取り付けて確認する表示ツールが実用化されている。
【考案が解決しようとする課題】
【０００３】色や、特殊マーク入りの旗やプレートによる従来の表示方法は、同じ色やマークに出会うことも多く、独自性を表すための特有な色、シンボル、マークなどは特注品となり極めて高価格になる。また、自分の表示マークなどを記憶することも容易でなく失念することも度々である。さらに、盗難を防ぐために旗やプレートから引き出した紐などをドアや窓の隙間から車の中に引き込んで固定するなどの対策がされるため、取り付け、取り外しが極めて面倒であると共に、旗は風により支柱に巻きついて表示の識別に難点を生じ、プレートは強風で倒されたり、飛ばされる危険が有るなど、従来の表示ツールが抱える多くの課題を解決する。
【課題を解決するための手段】
【０００４】自動車のナンバープレートに表示されている一連指定番号、または暗証番号など４桁以上の記号、数字を配列した表示部、表示部を回転させる回転構造、回転を規制するマグネット、およびマグネットに吸引されるストッパー、ならびに吸盤、磁石などによる車への取り付け具で構成される表示プレートを、車の鋼板部、またはガラス部に装着することにより、自分の車を確実に識別することが出来るカープレート。
【考案の効果】
【０００５】表示部に自動車のナンバープレートに表示されている一連指定番号、または暗証番号など４桁以上の記号、数字を配列することにより、誰にでも容易に自分の車であることを識別できるとともに、車のナンバープレートと同じ一連指定番号を表示した場合は、他の車への転用が困難になるため特別な盗難対策を必要としない。
【０００６】表示部は回転可能に形成され、かつマグネット、およびストッパーによる回転規制で所定以上の力が加わらない限り回転できないように規制されるため、微風では表示部は回転せず、所定以上の強風の場合に、表示部は回転して風向きに倣う方向に留まるため、カープレートが風で倒されたり、飛ばされる危険は無く、表示の識別に大きな影響を与えない。
【０００７】表示部に表示する一連指定番号、暗証番号は、車の所有者が自車のナンバーを簡単に作成することが出来るようにセグメントマスターから任意に切り出す。
【０００８】吸盤、磁石などの取り付け具による取り付け、取り外しにより車に傷を付けず着脱は極めて簡単である。
【考案を実施するための形態】
【０００９】図１は本考案によるカープレートの一実施例を示し、樹脂板で構成される表示部１の裏、表には識別用に自動車の一連指定番号、または暗証番号など４桁以上の記号、数字７が配列される。表示部１は回転軸２でベース５に対して回転可能に連結されており、ベースは吸盤や磁石などで車の屋根の鋼板部やガラス部に取り付けられる。４は表示部と共に回転するマグネットを示し、マグネットは回転しない強磁性体のストッパー３と磁力により吸引されているため、表示部は所要の回転力が加わらない限り回転せず、所要の回転力が加えられた状態でのみ回転する。
【００１０】マグネットとストッパーの関係を図２に示す。マグネット４と円盤状のストッパー３は隙間を空けて対抗配置し、マグネットは表示部と共に回転し、ストッパーは回転しない。したがって表示部に所要の力が加わらない限りマグネットはストッパーとの吸引力で静止しているが表示部に所要の力が加わると所定方向８に回転する。図３に示すように表示部１に対して、９の方向から表示部を回転させ得る強度で風が当たる場合は（２）に示す方向に向いていた表示部１が風に倣って（１）に示す方向に回転して留まる。当然風が微風で表示部を回転させ得ない強度であれば表示部は回転せず（２）の状態で留まっている。
【００１１】表示部はマグネットとストッパーによる回転規制構造により、微風状態では予め設定した方向を向いており、回転し得る強風が吹いた場合には風に倣う方向に回転することにより、カープレートが強風で倒れたりすることが無く、取り付け構造などもそれほど強固にする必要は無い。表示部の向きの設定もマグネットとストッパーによる回転規制効果により任意な方向への設定が可能である。さらに、図１に示す表示部の構成長さＬ１，Ｌ２を請求項２に示すように、表示部の回転の中心ＣＬを表示部のセンターに偏らせて配置（Ｌ１≠Ｌ２）した場合は、強風が当たった表示部が非回転状態のままで留まることはないため、カープレートに異常な強い力が加わることが防がれる。
【００１２】図５に表示部に示す数字、記号のセグメントマスター（１）、数字５の例（２）、表示可能数字、記号（３）が示され、いずれもセグメントマスターから所要の数字、記号を切り出して表示部に貼り付ける。
【実施例】
【００１３】表示部１は５ｍｍ厚の白色硬質塩ビで、１９４×８０ｍｍ、マグネット４はφ１０ｍｍ、厚さ５ｍｍのネオジウム磁石、ストッパー３はφ３０ｍｍ、１ｍｍ厚のＳＵＳ４３０の円盤、ベースはＡＢＳ樹脂、取り付け具６はφ４０ｍｍの吸盤、またはφ２０ｍｍ、１０ｍｍ厚のネオジウム磁石で構成した。回転規制構造のマグネットとストッパーは、どちらを回転としてどちらを非回転としても良く、ストッパーに関しては円盤に限られず、図４に示すごとくＡ，Ｂ，Ｃ，Ｄで停止する間欠構成でも良い。セグメントマスターは硬質黒塩ビで厚みは０．３ｍｍとした。また、取り付け具に関しても吸盤と磁石を組み合わせることも出来るなど、各種の構造、素材、ディメンジョンなどは本考案の趣旨を逸脱しない範囲であれば種々変形実施が可能である。
【図面の簡単な説明】
【００１４】
【図１】本考案によるカープレートの概念図を示す
【図２】マグネット、ストッパーで構成される回転規制構造の概念図を示す
【図３】カープレートに風が当たった場合のプレート停止位置の概念図を示す
【図４】分割したストッパーの概念図を示す
【図５】表示部に表示する数字、記号の概念図を示す
【符号の説明】    １  表示プレート            ７  記号、数字表示
２  回転軸                  ８  表示部回転方向
３  ストッパー              ９  風向
４  マグネット
５  ベース
６  取り付け具
【図１】
0003192671.tif 000003
【図２】
0003192671.tif 000004
【図３】
0003192671.tif 000005
【図４】
0003192671.tif 000006
【図５】
0003192671.tif 000007